(57)【要約】【課題】携帯機の登録を容易に且つ確実に行うことができる建物用ドア施解錠システムを提供する。【解決手段】建物のドア側に設けられる施解錠装置のコントローラー１４は、登録スイッチ２２により登録モードに切り換えることができる。携帯機５０の送信スイッチ釦５１を操作してＩＤコードを送信すると、コントローラ１４は、携帯機から受信したＩＤコードに対応する呼出しコードを設定し、メモリに記憶すると共に、受信したＩＤコードに呼出しコードを付加して作成した呼出し設定コード信号を送信する。携帯機は受信した呼出し設定コード信号から呼出しコードを読み出し記憶部に記憶する。【選択図】　図２
2004003153.tif 000002
【特許請求の範囲】
【請求項１】
建物のドア側に設けられる施解錠装置と携帯機との間の無線信号送受信によりドアの施解錠若しくは開閉を制御する建物用ドア施解錠システムにおいて、
前記施解錠装置は、携帯機から受信した信号を処理するコントローラーと、このコントローラを携帯機登録モードに切り換えることができる登録スイッチとを有し、
前記携帯機は、該携帯機に予めメモリに記憶されているＩＤコードの信号を送信するための送信スイッチ釦を有し、
前記施解錠装置のコントローラは、前記登録スイッチにより登録モードとされたときに携帯機から受信したＩＤコードに対応する呼出しコードを設定し記憶手段に記憶すると共に、受信したＩＤコードに呼出しコードを付加して作成した呼出しコード信号を前記携帯機に送信し、
前記携帯機は受信した呼出し設定コード信号から読み出した呼出しコードを記憶部に記憶すること、を特徴とする建物用ドア施解錠システム。
【請求項２】
請求項１に記載の建物用ドア施解錠システムにおいて、
前記携帯機は呼出しコードを前記記憶部に記憶した後、ＩＤコードと記憶部に記憶した呼出しコードとを含む呼出し設定コード信号を前記施解錠装置に送信し、
前記施解錠装置のコントローラは、施解錠装置が登録モードのとき、前回受信したＩＤコードと今回受信したＩＤコードが一致しているかを判定すると共に、設定した呼出しコードと今回受信した呼出しコードが一致しているかを判定し、ＩＤコード及び呼出しコードが一致している場合に、ＩＤコードを前記記憶手段に記憶することを特徴とする建物用ドア施解錠システム。
【請求項３】
請求項１又は２に記載の建物用ドア施解錠システムにおいて、
前記施解錠装置のコントローラは、各施解錠装置毎に異った１つの第１呼出しコードを予め前記記憶手段に記憶しており、呼出しコードを登録する順序に従って、第１呼出しコードを一定の範囲内で所定の関連を有するように変化させ、前記記憶手段に登録することを特徴とする建物用ドア施解錠システム。
【請求項４】
請求項１から３までの何れかに記載の建物用ドア施解錠システムにおいて、
前記コントローラは建物のドアの内部に設置されており、
前記登録スイッチは、ドアの端面に開口する小孔から差し込まれる工具類によってスイッチ操作し得るように前記コントローラに設けられており、
前記ドアの端面の小孔は着脱可能な栓で塞がれていることを特徴とする建物用ドア施解錠システム。
【発明の詳細な説明】
【０００１】
【発明の属する技術分野】
本発明は、建物用ドア側に設けられる施解錠装置と各携帯機との間で無線信号を送受信することにより建物用ドアの施解錠状態をコントロールする建物用ドア施解錠システムに関し、更に詳しくは、建物用ドア側に設けられる施解錠装置に各携帯機のＩＤコードを登録する登録システムに関する。
【０００２】
【従来の技術】
従来より、建物のドア側（ドア又はその近傍）に設けられる施解錠装置と、建物の住居者、管理者、特定出入り業者等が所持する携帯機との間で無線信号を送受信することによりドアの施解錠状態をコントロールする建物用ドア施解錠システムが用いられている。
【０００３】
この種の施解錠システムにおいては、建物のドア側に設けられる施解錠装置が電磁波を通信媒体としてチャレンジコード信号と呼出しコード信号を送信する。
【０００４】
そして、携帯機を所持した者がそれらの信号の伝播領域に入ると、携帯機がチャレンジコード信号と呼出しコード信号に応動してレスポンスコードを電波信号として出力する。
【０００５】
手動開閉式ドアの場合、施解錠装置は送受信機、電動施解錠機構、錠部、コントローラ等を備えており、施解錠装置の送受信機が携帯機からのレスポンスコード信号を受信すると、コントローラはこのレスポンスコード信号が正規信号であるか否かを判定し、その判定結果に基づいてドアの電動施解錠機構を制御し、錠部を施解錠させる。
【０００６】
また、自動ドアの場合、施解錠装置は送受信機、電動ドア開閉機構、コントローラ等を備えており、施解錠装置の送受信機が携帯機からのレスポンスコード信号を受信すると、コントローラはこのレスポンスコード信号が正規信号であるか否かを判定し、その判定結果に基づいて電動ドア開閉機構を制御し、ドアを開動作させる。
【０００７】
上記したチャレンジコード信号は、コントローラで生成される任意の乱数コードの信号であり、このコード信号は休止中である携帯機を起動させるためのものである。
【０００８】
また、呼出しコード信号は、呼び出しに対応する携帯機のＩＤコードに関連してコントローラに登録されているコード信号である。
【０００９】
施解錠装置のコントローラは、チャレンジコード信号を送信機から送信するときに、登録されている携帯機のＩＤコードとチャレンジコードとからレスポンスコード（内部レスポンスコード）を作成し、メモリに記憶する。
【００１０】
一方、施解錠装置からのチャレンジコード信号を受信した携帯機は、予め携帯機に登録されているＩＤコードと受信したチャレンジコードとからレスポンスコードを作成し、メモリに記憶するとともに、このレスポンスコードを電波信号にして施解錠装置に送り返す。
【００１１】
そして、携帯機からのレスポンスコード信号を受信した施解錠装置においては、コントローラがその受信信号から得たレスポンスコード（外部レスポンスコード）と、予めメモリに記憶してあるレスポンスコード（内部レスポンスコード）とを比較し、両者が一致する場合に所定の施解錠動作制御を行う。
【００１２】
さらに、この種の施解錠システムにおいては、錠部のキー挿入口より差し入れたキーによって手動で施解錠することができる一方、キーレスエントリーシステムを取り入れた構成のものがある。
【００１３】
キーレスエントリーシステムは、携帯機の送信スイッチ釦を押圧操作して施解錠装置をリモートコントロールする構成のものである。
【００１４】
すなわち、送信スイッチ釦を押圧操作すると、携帯機がＩＤコード信号を出力し、このＩＤコード信号を受信した施解錠装置のコントローラがこの受信ＩＤコードと予めメモリに記憶してある登録ＩＤコードとを比較し、これら２つのＩＤコードが一致する場合に所定の施解錠動作制御を行う構成となっている。
【００１５】
さらに、ドア側に設けられる施解錠装置にタッチキーを備えたものも知られている。
この種の施解錠装置においては、施解錠装置と携帯機との間の無線信号の送受のみで直ちに電動施解錠機構を解錠又は施錠動作させるのではなく、携帯機の所持者がタッチキーに触れて施解錠の意志を示したときに、その意志確認を条件として電動施解錠機構を解錠又は施錠動作させる構成となっている。
【００１６】
また、建物ドア用の施解錠装置としては、上記チャレンジコード信号と呼出しコード信号を間欠的に送信し続けているものが一般的であるが、電気の節約のために、携帯機の所持者がタッチキーに触れたときにこれらの信号を送信するように構成したものもある。
【００１７】
【発明が解決しようとする課題】
建物用ドア施解錠システムにおいては、上記したように、ドア側の施解錠装置に対し予め携帯機のＩＤコード等を登録しておく必要がある。
【００１８】
従来の建物用ドア施解錠システムにおいては、この登録操作が複雑で面倒であり、特に複数個の携帯機をまとめて登録しようとすると、誤操作、誤動作等が生じる虞れがある。
【００１９】
したがって、本発明は、携帯機の登録を容易に且つ確実に行うことができる建物用ドア施解錠システムを提供することを目的としている。
【００２０】
【課題を解決するための手段】
上記課題を解決するために、本発明は第１の発明として、建物のドア側に設けられる施解錠装置と携帯機との間の無線信号送受信によりドアの施解錠若しくは開閉を制御する建物用ドア施解錠システムにおいて、　前記施解錠装置は、携帯機から受信した信号を処理するコントローラーと、このコントローラを携帯機登録モードに切り換えることができる登録スイッチとを有し、前記携帯機は、該携帯機に予めメモリに記憶されているＩＤコードの信号を送信するための送信スイッチ釦を有し、前記施解錠装置のコントローラは、前記登録スイッチにより登録モードとされたときに携帯機から受信したＩＤコードに対応する呼出しコードを設定し記憶手段に記憶すると共に、受信したＩＤコードに呼出しコードを付加して作成した呼出しコード信号を前記携帯機に送信し、前記携帯機は受信した呼出しコード信号から読み出した呼出しコードを記憶部に記憶すること、を特徴とする建物用ドア施解錠システムを提供する。
【００２１】
上記構成によれば、建物のドア側に設けられる施解錠装置を登録スイッチにより登録モードに切り換えた後、携帯機の送信スイッチ釦を操作するだけの簡単な操作で施解錠装置に携帯機を登録させることができる。
【００２２】
しかも、コントローラは、登録スイッチにより登録モードとされたときに携帯機から受信したＩＤコードに対応する呼出しコードを設定し記憶手段に記憶すると共に、受信したＩＤコードに呼出しコードを付加して作成した呼出し設定コード信号を携帯機に送信し、一方、携帯機は受信した呼出し設定コード信号から読み出した呼出しコードを記憶部に記憶するので、迅速且つ確実に携帯機を登録することができる。
【００２３】
また、第２の発明として、上記第１発明の建物用ドア施解錠システムにおいて、前記携帯機は呼出しコードを前記記憶部に記憶した後、ＩＤコードとこの呼出しコードとを含む呼出し設定コード信号を前記施解錠装置に送信し、前記施解錠装置のコントローラは、施解錠装置が登録モードのとき、前回受信したＩＤコードと今回受信したＩＤコードが一致しているかを判定すると共に、設定した呼出しコードと今回受信した呼出しコードが一致しているかを判定し、ＩＤコード及び呼出しコードが共に一致している場合に、ＩＤコードを前記記憶手段に記憶することを特徴とする建物用ドア施解錠システムを提供する。
【００２４】
上記構成によれば、コントローラにおいて、前回受信したＩＤコードと今回受信したＩＤコードが一致しているかを判定すると共に、設定した呼出しコードと今回受信した呼出しコードが一致しているかを判定し、ＩＤコード及び呼出しコードが共に一致している場合に、ＩＤコードを前記記憶手段に記憶するので、より確実で信頼性の高い登録を行うことができる。
【００２５】
さらに、第３の発明として、上記第１発明又は第２発明の建物用ドア施解錠システムにおいて、前記施解錠装置のコントローラは、各施解錠装置毎に異った１つの第１呼出しコードを予め前記記憶手段に記憶しており、呼出しコードを登録する順序に従って、第１呼出しコードを一定の範囲内で所定の関連を有するように変化させ、前記記憶手段に登録することを特徴とする建物用ドア施解錠システムを提供する。
【００２６】
上記構成によれば、各施解錠装置毎に最初に設定している第１呼び出しコードを異なるものとし、その第１呼び出しコードから一定の範囲内で所定の関連を有するように変化させるので、近くに別の施解錠装置に登録された携帯機があった場合でも、呼び出しコードを異ならせることにより、関係ない携帯機からのレスポンスコード信号を間違って受信することを防止し、混信による誤作動を防止することができる。
【００２７】
さらに、第４の発明として、上記第１ないし第３発明の何れかの建物用ドア施解錠システムにおいて、前記コントローラは建物のドアの内部に設置されており、前記登録スイッチは、ドアの端面に開口する小孔から差し込まれる工具類によってスイッチ操作し得るように前記コントローラに設けられており、前記ドアの端面の小孔は着脱可能な栓で塞がれていることを特徴とする建物用ドア施解錠システムを提供する。
【００２８】
上記構成によれば、小孔がドアの端面に形成されるとともに、この小孔が着脱可能な栓で塞がれているので、登録スイッチが不正に操作される危険性を回避することができるとともに、携帯機を登録するときは、小孔から栓を抜いて登録スイッチを容易に操作することができる。したがって、操作性と安全性に優れた建物用ドア施解錠システムを提供することができる。
【００２９】
【発明の実施の形態】
次に、本発明の実施形態について図面に沿って説明する。
【００３０】
図１（ａ）、（ｂ）は本発明の建物用ドア施解錠システムを建物の手動開閉式ドアに適用した場合の一実施形態を示したものである。
【００３１】
図１（ａ）に示すように、ドア１０の外面には、施解錠装置の外側錠部１１と、外側ドアハンドル１２を設け、また、このドア１０には埋設するようにして施解錠装置のコントローラ１４が配設してある。５０は携帯機である。
【００３２】
外側錠部１１は、その正面にはシリンダ錠のキー挿入部１５、タッチスイッチ１６、施解錠の表示部１７、コード信号の送受信部所１８を有している。
【００３３】
また、図示は省略するが、外側錠部１１は、内部に送信アンテナ、受信アンテナ、コンデンサ、タッチスイッチのスイッチ部などが配設してある。
【００３４】
外側錠部１１内の送信アンテナは磁性体に導電線を巻回して形成したもので、この送信アンテナとコンデンサとで直列共振回路を形成している。
【００３５】
すなわち、直列共振回路の共振電流を利用してチャレンジコード信号と呼び出しコード信号とを順次送信アンテナより繰り返し送信させる。
【００３６】
そして、このチャレンジコード信号と呼び出しコード信号は、周辺無線機器への電波障害を考慮して、距離減衰性の高い電磁波を送信媒体とし、例えば、ＬＦ（１２５ｋＨｚ）磁界信号として送信する。
【００３７】
また、外側錠部１１内の受信アンテナは、棒状の導電体からなる公知のアンテナで、携帯機５０（図１参照）から送られる高周波電波、例えば、ＲＦ（３１５ＭＨｚ）のレスポンスコード信号を電波信号として受信する。
【００３８】
携帯機５０はキーレスエントリー用のコード信号を送信するための送信スイッチボタン５１を有しており、この送信スイッチボタン５１が押されたとき、携帯機５０は携帯機５０に予め記憶されている固有のＩＤコードを暗号化してＩＤコード信号とし、無線信号にして送信することができる。
【００３９】
そして、外側錠部１１内の受信アンテナは、携帯機５０からのＩＤコード信号も同様に電波信号として受信することができる。
【００４０】
表示部１７は施錠状態で緑色光を、解錠状態で赤色光を表示するもので、施解錠する者が視覚を通して施錠と解錠とを確認できるようにしてある。
【００４１】
上記した外側錠部１１の送受信信号はコントローラ１４によって信号処理される。
【００４２】
すなわち、このコントローラ１４は、ＣＰＵの他にＲＡＭ、ＲＯＭなどのメモリ（記憶手段）、タイマー等を有する制御回路を有し、このコントローラ１４の制御下にチャレンジコード信号と呼び出しコード信号とを外側錠部１１内の送信アンテナより出力させることができる。
【００４３】
チャレンジコード信号は任意の乱数コード信号である。
【００４４】
また、呼び出しコード信号は、予めコントローラ１４に設定された呼び出しコードから、携帯機５０のコントローラ１４への登録順に従って作成したもので、携帯機５０のＩＤコードに対応させてメモリに記憶させて保持する。
【００４５】
また、このコントローラ１４は、外側錠部１１内の受信アンテナが受信したレスポンスコード信号を入力し、このレスポンスコードと送信したチャレンジコードから生成してメモリに記憶されている内部レスポンスコードとを比較し、これらコードが一致したとき、解錠準備モードとなる。
【００４６】
なお、レスポンスコード信号は、携帯機５０のＩＤコードと受信したチャレンジコードから施解錠装置側と同様に算出されたコード信号であり、携帯機５０より出力させる。
【００４７】
さらに、コントローラ１４は、解錠準備モードにおいてタッチスイッチ１６を操作すると、そのスイッチ信号の入力に応動し、施解錠機構２０の電動駆動部を解錠制御し、施錠状態となっているデッドボルト２１を退出させ解錠させる。
【００４８】
なお、解錠した後、ドアを開閉したとき、または、所定時間内にドアを開閉しないときは、コントローラ１４が施解錠機構２０の電動駆動部を制御して施錠させる。
【００４９】
図１に示した外側ドアハンドル１２はラッチ機構を連動する構成となっており、例えば、引き開きドア１０の場合は、ドアハンドル１２を引き操作すると、ラツチボルト（図示省略）が後退してドアを開くことができる。また、ドアハンドル１２の引き操作を解放すると、ラッチ機構が自動的に復動する。
【００５０】
コントローラ１４は登録スイッチ２２を備えており、この登録スイッチ２２は、ドア１０の自由短側の端面に開口した小孔２３から差し込まれるピン２４等の工具類によりスイッチ動作させることができるようになっており、小孔２３には着脱可能な栓、例えば小ねじ２５がねじ込まれて取り付けられている。
【００５１】
図２は建物用ドア施解錠システムにおける施解錠装置に携帯機を登録するときのコントローラ及び携帯機の処理動作を示すフローチャートである。
【００５２】
図２に示すように、施解錠装置のコントローラ１４は、登録スイッチ２２が押し操作されると、先ず例えば３０秒に時間設定されたタイマをセット（開始）して携帯機５０からの無線信号コード受信待ち状態となる（ＳＴ１００、ＳＴ１０１、ＳＴ１０２）。
【００５３】
一方、携帯機５０は、上記したように、送信スイッチ釦５１が押し操作されると予めメモリ（記憶部）に記憶されている固有のＩＤコードを読み出し、これをローリングコード演算して暗号化し、さらに高周波無線信号（ＲＦコード信号）に変換して送信する（ＳＴ２００、ＳＴ２０１、ＳＴ２０２、ＳＴ２０３）。
【００５４】
携帯機５０は上記ＲＦコード信号を送信したら、受信待機状態すなわちストップモード状態となる（ＳＴ２０４）。
【００５５】
施解錠装置の外側錠部１１が携帯機５０からの上記ＲＦコード信号を受信すると、コントローラ１４はＲＦコード信号受信の判定をする（ＳＴ１０２）。
そして、このＲＦコード信号からＩＤコード（登録ＩＤコード）を読み出し、このＩＤコードに対応した呼出し番号（呼出しコード）を設定する（ＳＴ１０４）。
【００５６】
そして、登録ＩＤコードと呼出しコード（呼出し番号）を一旦メモリ（記憶手段）に記憶するとともに、登録ＩＤコードに呼出しコード（呼出し番号）を付加して作成した呼出し設定コードに変換し、呼出し設定コード信号を低周波信号（ＬＦコード信号）にして外側錠部１１から送信させる（ＳＴ１０５）。
【００５７】
このＬＦコード信号を送信したら、コントローラ１４は携帯機５０からＲＦコード信号が送られてくるのを待つ（ＳＴ１０６）。
【００５８】
一方、携帯機５０は、外側錠部１１からの上記呼出し設定コード信号（ＬＦコード信号）を受信すると、この呼出し設定コード信号に含まれているＩＤコード（受信ＩＤコード）を読み出し、携帯機５０から送信されたＩＤコード（送信ＩＤコード）がこの受信ＩＤコードと一致するかどうかを判定する（ＳＴ２０５、ＳＴ２０６）。
【００５９】
そして、携帯機５０は、送信ＩＤコードと受信ＩＤコードとが一致しているときは、受信した呼出し設定コード信号に含まれている呼出しコード（呼出し番号）を読み出し、メモリに記憶（登録）する（ＳＴ２０７）。
【００６０】
その後、携帯機５０は、ステップＳＴ２０３のときと同様に、ＩＤコード（送信ＩＤコード）を含むＲＦコード信号を送信してストップモードに入る（ＳＴ２０８、ＳＴ２０９）。
【００６１】
施解錠装置のコントローラ１４は、携帯機５０からのＲＦコード信号を受信すると、このＲＦコード信号に含まれるＩＤコード（受信ＩＤコード）と、前回の受信時にメモリに記憶していたＩＤコード（登録ＩＤコード）とを比較する（ＳＴ１０６、ＳＴ１０８）。
【００６２】
そして、この受信ＩＤコードと登録ＩＤコードとが一致している場合は、登録ＩＤコードを正式のＩＤコードとしてメモリに記憶（登録）する（ＳＴ１０９）。
【００６３】
そしてその後、コントローラ１４は、登録完了の通知、例えばブザー音の出力、或いは、表示部１７の点灯等を行った後、他の携帯機の登録を行うためにステップＳＴ１０１に戻る（ＳＴ１１０）。
【００６４】
なお、コントローラ１４は、ステップＳＴ１０１において所定の設定時間（例えば３０秒）をスタートさせた後、ステップＳＴ１０２においてＲＦコード信号を受信しないままタイムアウトになった場合（ＳＴ１０３）、或いは、ステップＳＴ１０６においてＲＦコード信号を受信しないままタイムアウトになった場合（ＳＴ１０７）、例えばブザー音等で登録モードの終了を通知した後、通常モードへ復帰する（ＳＴ１１１、ＳＴ１１２）。
【００６５】
一方、携帯機５０は、ステップＳＴ２０６において送信ＩＤコードと受信ＩＤコードとが一致しない場合、呼出しコード（呼出し番号）を登録することなくストップモードへと進む（ＳＴ２０９）。
【００６６】
上記したように、この実施形態の建物用ドア施解錠システムにおいては、建物のドア１０側に設けられる施解錠装置のコントローラ１４を、登録スイッチ２２により登録モードに切り換えた後、携帯機５０の送信スイッチ釦５１を操作するだけの簡単な操作で施解錠装置に携帯機５０を登録させることができる。
【００６７】
しかも、コントローラ１４は、登録スイッチ２２により登録モードとされたときに携帯機５０から受信したＩＤコードに対応する呼出しコードを設定しメモリ（記憶手段）に記憶すると共に、受信したＩＤコードに呼出しコードを付加した呼出し設定コード信号を携帯機５０に送信し、一方、携帯機５０は受信した呼出し設定コード信号から読み出した呼出しコードをメモリ（記憶部）に記憶するので、迅速且つ確実に携帯機５０を登録することができる。
【００６８】
なお、上記の説明においては詳細な説明を省略したが、好ましくは、携帯機５０は、ステップＳＴ２０７において呼出しコードをメモリに記憶した後、ＳＴ２０８においてＩＤコードとメモリに記憶した呼出しコードとを含む呼出し設定コード信号をＲＦコード信号にして送信するように構成される。
【００６９】
また、施解錠装置のコントローラ１４は、好ましくは、ステップＳＴ１０６において呼出し設定コード信号であるＲＦコード信号を受信したとき、前回受信したＩＤコード（登録ＩＤコード）と今回受信したＩＤコード（受信ＩＤコード）とが一致しているどうかをステップＳＴ１０８において判定すると共に、設定した呼出しコード（登録呼出しコード）と今回受信した呼出しコード（受信呼出しコード）とが一致しているかどうかを判定し、ＩＤコード及び呼出しコードの双方が共に一致している場合に、ＩＤコードをメモリに記憶するように構成される。
【００７０】
上記構成によれば、施解錠装置のコントローラ１４において、ＩＤコードと呼出しコードの双方が共に一致している場合に限り、ＩＤコードを正式に記憶手段に記憶するので、より確実で信頼性の高い登録を行うことができる。
【００７１】
さらに、上記した施解錠装置のコントローラ１４は、好ましくは、各施解錠装置毎に異った１つの第１呼出しコードを予め記憶手段に記憶しており、ステップＳＴ１０４において、呼出しコードを登録する順序に従って、第１呼出しコードを一定の範囲内で所定の関連を有するように変化させ、メモリに登録するように構成される。
【００７２】
上記構成によれば、各施解錠装置毎に最初に設定している第１呼び出しコードを異なるものとし、その第１呼び出しコードから一定の範囲内で所定の関連を有するように変化させるので、近くに別の施解錠装置に登録された携帯機があった場合でも、呼び出しコードを異ならせることにより、関係ない携帯機からのレスポンスコード信号を間違って受信することを防止し、混信による誤作動を防止することができる。
【００７３】
さらに具体的に説明すると、複数個の携帯機を登録し、動かしたい場合、その複数の携帯機が近くにあると、一度に複数個の携帯機から電波が帰ってきて、混信し施解錠装置の外側錠部１１及びコントローラ１４がうまく読み取ることができず、動かないことがある。
【００７４】
各携帯機５０に対する呼出しコード（呼出し番号）の設定は、登録した順番に応じて番号付けをするのが一般的である。この場合、仮に８個の携帯機５０を登録したとすると、携帯機５０は１番から８番まで番号付けされ、その番号の呼出しコードが来ないと携帯機５０は電波（レスポンスコード信号）を返さないよう構成される。
【００７５】
すなわち、施解錠装置は１番から順番に呼び、１番を呼んで電波が返ってこなければ２番を呼ぶこととなる。
【００７６】
しかし、単純な例えば１から８までの連番では登録してある携帯機５０は全て１から８番となり、もしも別の施解錠装置に登録してある別の携帯機が、動作させようとする施解錠装置の外側錠部１１の近く（信号伝播領域内）にあると、本来の施解錠装置に対応する携帯機の呼出し番号（呼出しコード）と同じとなる可能性があり、その場合は混信してしまう。
【００７７】
そこで、本発明の好ましい実施形態においては、上記したように、施解錠装置のコントローラ１４が最初に作成する呼出し番号（呼出しコード）を乱数にするのである。
【００７８】
例えば１個目は１５７番にする。その番号は登録の際、それぞれの施解錠装置のコントローラ１４が作成し、それを携帯機５０に伝える。また、２個目は１５８番、３個目は１５９番というふうに、追加登録に対しては番号を１ずつ加算する。
【００７９】
上記の如く呼出し番号を設定することにより、別の施解錠装置に登録されている携帯機が近くにあった場合でも、呼出し番号（呼出しコード）が異なる事になるので、混信の虞れがなくなるのである。
【００８０】
さらに、上記実施形態の構成においては、コントローラ１４は建物のドア１０の内部に設置されており、また、登録スイッチ２２は、ドア１０の端面に開口する小孔２３から差し込まれる工具類によってスイッチ操作可能となっており、さらに、ドア１０の端面の小孔２３は着脱可能な栓２５で塞がれているので、登録スイッチ２２が不正に操作される危険性を回避することができるとともに、携帯機５０を登録するときは、小孔２３から栓２５を抜いて登録スイッチ２２を容易に操作することができる。したがって、操作性と安全性に優れた建物用ドア施解錠システムとすることができる。
【００８１】
以上、図示実施形態につき説明したが、本発明は上記実施形態のみに限られず、種々の変更が可能である。
【００８２】
例えば、登録スイッチ２２を押し操作したとき、前回登録されたＩＤコードを全て消去する（すなわちコントローラ１４をリセットする）ように構成してもよい。
【００８３】
また、登録時に携帯機５０から送信されるＩＤコード信号にロック／アンロック命令コードを付属させる場合、登録スイッチ２２の押し操作により、これらのロック／アンロック命令コードをキャンセルするように構成することができる。
【００８４】
さらに、ドア側の施解錠装置は、タッチスイッチ１６を押し操作することにより、チャレンジコード信号及び呼出しコード信号を送信するものであってもよい。
【００８５】
さらに、ドア側の施解錠装置におけるコントローラ１４は、ＩＤコード登録の完了時に既に登録されているＩＤコード分だけブザーを鳴らすか又は点灯表示するように構成してもよい。
これにより、既に登録されているＩＤコードの個数をユーザが容易に認識できることとなる。
【００８６】
また、携帯機５０のメモリ（記憶部）には、複数の呼出しコードを記憶させるように構成することができる。これにより、１つの住宅内における複数のドアに対応した呼出しコードを記憶することができるので、１つの携帯機５０によって、複数のドアの施解錠を行うことができるようになる。
【００８７】
さらに、携帯機５０のメモリ（記憶部）には、複数のＩＤコードを記憶させることができる。この場合、所定の呼出しコードを受信したときには、所定のＩＤコードを送信するようにすれば、マンション等の共同住宅のように自宅玄関ドア以外に共同扉（ドア）があるときのセキュリティー性を向上させることができる。
【００８８】
さらに、本発明を適用する建物のドアは自動開閉ドアであってもよい。
【００８９】
【発明の効果】
以上の説明から明らかなように、本発明によれば、携帯機の登録を容易に且つ確実に行うことができる建物用ドア施解錠システムを提供することができる。
【図面の簡単な説明】
【図１】（ａ）、（ｂ）はそれぞれ本発明の建物用ドア施解錠システムを建物の手動開閉式ドアに適用した場合の一実施形態を示す要部斜視図である。
【図２】図１の建物用ドア施解錠システムにおける施解錠装置に携帯機を登録するときのコントローラ及び携帯機の処理動作を示すフローチャートである。
【符号の説明】
１０　　ドア
１１　　外側錠部
１４　　コントローラ
１６　　タッチキー
２２　　登録スイッチ
２３　　ドアの小孔
２４　　ピン（工具類）
２５　　栓（小ねじ）
５０　　携帯機
５１　　送信スイッチ釦
【図１】
2004003153.tif 000003
【図２】
2004003153.tif 000004